(57)【要約】【課題】簡単な構成で可動体を振動させて、遊技の興趣を増大させ得る遊技機の可動装置を提供する。【解決手段】伝達手段３５は、ソレノイド３２に接続し、所要の開口部３７を有する連結部３６と、開口部３７に挿入されると共に可動体３１に接続し、連結部３６の直線移動に伴い所定方向に移動して該可動体３１を動作させる作動軸４０とを備える。開口部３７に作動軸４０を挿入した状態で、該開口部３７の内部輪郭と作動軸４０との間に、該作動軸４０の移動方向に隙間Ｓが画成される。そして、ソレノイド３２の駆動停止時に、開口部３７内における隙間Ｓの存在により前記作動軸４０の往復動が許容されて、前記可動体３１の振動を生起させる。【選択図】図３
2005323938.tif 000002
【特許請求の範囲】
【請求項１】
本体部に配設されるリニアアクチュエータと、前記本体部に配設されて所要の動作を行ない得る可動体と、前記リニアアクチュエータおよび可動体の夫々に連繋され、該リニアアクチュエータの駆動力を可動体に伝達して動作させる伝達手段とから構成される遊技機の可動装置であって、
前記伝達手段は、
前記リニアアクチュエータに接続し、所要の開口部を有する連結部と、
前記開口部に挿入されると共に前記可動体に接続し、前記連結部の直線移動に伴い所定方向に移動して該可動体を動作させる作動体とを備え、
前記開口部に前記作動体を挿入した際に、該開口部の内部輪郭と作動体との間に、該作動体の移動方向に隙間が画成されるよう構成し、
前記リニアアクチュエータの駆動停止時に、前記開口部内における前記隙間の存在により前記作動体の往復動が許容されて、前記可動体の振動を生起させるようにした
ことを特徴とする遊技機の可動装置。
【請求項２】
前記作動体に一方の端部を固定すると共に、前記連結部または本体部の何れかに他方の端部を固定するよう弾性部材を設け、前記リニアアクチュエータの駆動停止時には、前記弾性部材が伸縮して前記開口部内における作動体の往復動を許容するよう構成した請求項１記載の遊技機の可動装置。
【発明の詳細な説明】
【技術分野】
【０００１】
本発明は、遊技機の可動装置に関し、更に詳細には、可動体を動作させて所要の遊技演出を行なわせる遊技機の可動装置に関するものである。
【背景技術】
【０００２】
代表的な遊技機であるパチンコ機は、機内にセットされる遊技盤の盤面に画成した遊技領域の略中央位置に装飾部材が配設されて、該装飾部材に形成した開口部から液晶式やドラム式等の図柄表示装置を臨ませ、この図柄表示装置で図柄組み合わせゲームやリーチ演出等の主たる遊技演出を行なうようになっている。また、前記装飾部材に、所要の動作を行なう可動体を備えた可動装置を配設し、該可動体を前記図柄表示装置で行なわれる遊技演出に合わせて動作させることにより、視覚的な演出効果を向上させ、遊技の興趣を一層増大するようにしたパチンコ機も知られている。例えば、揺動自在に装飾部材に配置したハンマーを、駆動源としてのソレノイドに接続し、図柄表示装置での遊技演出に合わせてソレノイドを駆動してハンマーを往復運動させることで、演出効果を高めるよう構成された可動装置がある(特許文献１参照)。また、駆動源としてモータを用い、該モータを駆動することで可動体を往復運動させると共に、磁石等を利用して可動体を所定位置で確実に停止させ得るよう構成した可動装置も知られている(特許文献２参照)。このように、図柄表示装置での遊技演出に合わせて可動体を動作させれば、視覚的な演出効果を向上させ、遊技の興趣を高めることが可能となる。
【特許文献１】特開２００１−２５５４６号公報
【特許文献２】特開２００３−１９０４０１号公報
【発明の開示】
【発明が解決しようとする課題】
【０００３】
ところで、前記特許文献１および特許文献２に開示されている可動装置は、所定範囲を単に往復運動するだけで動きが単調なものとなってしまう欠点を内在している。従って、可動体を動作させた場合でも、遊技者に与え得るインパクトや遊技の面白みは限定的になる問題が指摘される。また、可動体を終点位置まで動作した場合にキッチリ停止するため、可動体の動作に余韻がなく、遊技の興趣に欠けることにもなっている。なお、例えば、前記特許文献２に係る可動装置のように、駆動源としてモータを用いた場合には、モータを細かく正逆回転させれば、可動体が振動しているように見せかけて可動体の動作に余韻を持たせることができるから、該可動体に面白みのある動作を行なわせることは可能である。しかし、この場合には、正逆回転によるモータに掛かる負荷が高くなるため、モータの故障頻度が高くなって、メンテナンス作業等の作業負担の増加や、コストの増大等を招来する虞がある。また、ソレノイドと較べてモータは、一般的に構成・制御が複雑となってしまう。すなわち、可動体を振動させるには、モータの回転位置(角度)等を適宜制御する必要があり、ＯＮ・ＯＦＦ制御するだけでよいソレノイドと較べて、一般的にコストが高くなる欠点がある。しかし、駆動源としてソレノイドを用いた場合には、該ソレノイドのＯＮ・ＯＦＦ制御を行なったとしても可動体の動作が大きくなる(細かい動作ができない)ため、可動体が振動しているように見せかけるのは困難であった。
そこで、本発明は、簡単な構成で可動体を振動させて、遊技の興趣を増大させ得る遊技機の可動装置を提供することを目的とする。
【課題を解決するための手段】
【０００４】
前記課題を克服し、所期の目的を達成するため、本発明に係る遊技機の可動装置は、
本体部(22)に配設されるリニアアクチュエータ(32)と、前記本体部(22)に配設されて所要の動作を行ない得る可動体(31)と、前記リニアアクチュエータ(32)および可動体(31)の夫々に連繋され、該リニアアクチュエータ(32)の駆動力を可動体(31)に伝達して動作させる伝達手段(35)とから構成される遊技機の可動装置であって、
前記伝達手段(35)は、
前記リニアアクチュエータ(32)に接続し、所要の開口部(37)を有する連結部(36)と、
前記開口部(37)に挿入されると共に前記可動体(31)に接続し、前記連結部(36)の直線移動に伴い所定方向に移動して該可動体(31)を動作させる作動体(39)とを備え、
前記開口部(37)に前記作動体(39)を挿入した際に、該開口部(37)の内部輪郭と作動体(39)との間に、該作動体(39)の移動方向に隙間(S)が画成されるよう構成し、
前記リニアアクチュエータ(32)の駆動停止時に、前記開口部(37)内における前記隙間(S)の存在により前記作動体(39)の往復動が許容されて、前記可動体(31)の振動を生起させるようにしたことを特徴とする。
【０００５】
また、前記作動体(39)に一方の端部を固定すると共に、前記連結部(36)または本体部(22)の何れかに他方の端部を固定するよう弾性部材(46)を設け、前記リニアアクチュエータ(32)の駆動停止時には、前記弾性部材(46)が伸縮して前記開口部(37)内における作動体(39)の往復動を許容するよう構成する。
【発明の効果】
【０００６】
本発明の請求項１に係る遊技機の可動装置によれば、リニアアクチュエータに接続する連結部の開口部に挿入した作動体と、開口部の内部輪郭との間に、該作動体の移動方向に隙間が画成されるよう構成したことで、一旦駆動したリニアアクチュエータを停止させた際には、隙間の存在により作動体の往復動が許容される。このように、前記連結部の停止時に隙間内で前記作動体が振動することによって、該記作動体に接続する可動体に振動を生起させることができ、遊技の興趣を増大させ得る。また、モータと較べて構成および制御の簡単なリニアアクチュエータを用いて、可動体を意図的に振動させ得るからコストが嵩むのを防止し得る利点がある。
【０００７】
そして、請求項２に係る遊技機の可動装置によれば、弾性部材により連結部または本体部と作動部とを接続することで、一旦駆動したリニアアクチュエータを停止させた際には、該弾性部材の伸縮運動により前記可動体を振動させ得るから、該可動体の振動を長続きさせ得る。また、弾性部材の伸縮運動を利用するようにしたことで、より一層可動体の振動動作を余韻のあるものにし得る利点がある。
【発明を実施するための最良の形態】
【０００８】
次に、本発明に係る遊技機の可動装置につき、好適な実施例１および２を挙げて、添付図面を参照しながら、以下詳細に説明する。なお実施例１および２では、遊技球としてパチンコ球を使用する一般的なパチンコ機を例にして説明する。また、以下の説明において前・後および左・右とは、特に断りのない限り、図１に示すようにパチンコ機１０を正面側から見た場合において指称するものとする。
【実施例１】
【０００９】
(パチンコ機について)
先ず実施例１に係るパチンコ機１０の概略構成について、図１を参照して説明する。パチンコ機１０は、外郭をなす外枠１１の開口前面側に対して中枠１２が、パチンコ機１０の左側に位置する連結支持手段１４、および右側に位置する施錠手段１５を利用して着脱および開放可能に組み付けられている。また、前記中枠１２には、所要の遊技領域２１を構成した遊技盤２０(後述)が着脱交換可能に取付けられると共に、該中枠１２の前面側に、遊技盤２０を透視保護するガラス板を組み付けた前枠１３と、パチンコ球を貯留する上球皿１６とを横開き形態で開閉可能に組み付けてある。また、前記中枠１２における上球皿１６の下方には、左右方向の略中央位置に、上球皿１６から溢れたパチンコ球を貯留し得る下球皿１７が配設されている。そして、前記中枠１２における下球皿１７の右側には、遊技者の操作に応じて図示しない打球発射装置を駆動して、前記上球皿１６に貯留したパチンコ球を前記遊技領域２１に向けて発射させるハンドルユニット１８が配設される。
【００１０】
(遊技盤について)
前記遊技盤２０は、前記中枠１２の上方位置に前後に開口するよう開設された遊技盤保持部(図示せず)に保持される。そして、図１に示すように、前記遊技盤２０の前面側に、略円形状に湾曲形成したレール２０ａにより前記遊技領域２１が画成されて、該遊技領域２１の上方位置に、遊技盤２０の裏側に配設される図柄表示装置２３が臨む大型の装飾部材２２が配設されている。前記装飾部材２２は、前記遊技領域２１の左右幅方向の大部分を占める横長の枠状本体２２ａに、所要の意匠を施した装飾部品や発光体等を配設して構成され、遊技盤２０に開設した装着孔(図示せず)に枠状本体２２ａを前側から挿入したもとでネジ止めされる。そして、前記枠状本体２２ａの略中央位置に開設した窓口２２ｂを介して、前記図柄表示装置２３がパチンコ機１０の前側に臨むようになっている。また、前記遊技領域２１における前記装飾部材２２の下方位置には、遊技領域２１を流下するパチンコ球が入賞可能な始動入賞具２４が配設され、該始動入賞具２４の下側に、前記図柄表示装置２３での図柄組合わせゲームの結果により開放する大型電動式の入賞装置２５を配設してある。更に、前記遊技領域２１の左右両側部には、図柄表示装置２３での図柄組合わせゲームに応じて照射パターンを変更して発光演出を行なう電飾装置２６,２６等が配設されている。
【００１１】
(可動装置について)
前記装飾部材２２(枠状本体２２ａ)における前記窓口２２ｂの右側部には、該窓口２２ｂ側に向けて揺動可能な可動体３１を備えた可動装置３０が配設されており(図２参照)、前記図柄表示装置２３で行なわれる図柄変動ゲームに合わせて該可動体３１を揺動させることで、遊技の興趣を向上するよう構成してある。すなわち、前記装飾部材２２が、前記可動装置３０の本体部として機能している。なお実施例１では、前記可動体３１の裏側における端部(図３における下端部)に形成された固定孔３１ａに後述する支軸４１が挿入固定されて、該支軸４１を中心として可動体３１が揺動するよう構成されている。
【００１２】
前記可動装置３０は、図３に示すように、揺動可能な前記可動体３１と、前記枠状本体２２ａに固定されるソレノイド(リニアアクチュエータ)３２と、該可動体３１およびソレノイド３２の夫々に連繋し、ソレノイド３２の駆動力を可動体３１に伝達して揺動させる伝達手段３５とから基本的に構成される。ここで、前記ソレノイド３２は、図示しないスリーブ内に内挿したプランジャ３３が下方に突出する状態で前記枠状本体２２ａに配設されて、常にはコイルバネ３４によりプランジャ３３を下方に向けて付勢している。そして、前記ソレノイド３２に通電することで、前記プランジャ３３が前記コイルバネ３４の弾性力に抗して上方移動するようになっている。
【００１３】
また、図３に示すように、前記伝達手段３５は、前記ソレノイド３２に接続し、所要の開口部３７が開設された連結部３６と、前記可動体３１に接続して連結部３６の移動に伴い可動体３１を動作させる作動体３９とから基本的に構成される。前記連結部３６には、前記開口部３７を開設した基部３８の上部に、前記ソレノイド３２のプランジャ３３における下端部に形成したフランジ３３ａを挿入する係合溝３８ａが形成され、該係合溝３８ａにフランジ３３ａを挿入することで連結部３６がプランジャ３３に取付けられて、該連結部３６が当該プランジャ３３と一体的に上下移動するようになっている。すなわち、前記連結部３６は、常には前記ソレノイド３２に通電していない下方に位置した初期位置と、該ソレノイド３２に通電して上方に変位した終点位置との間を往復動する。
【００１４】
また、前記作動体３９は、前記連結部３６の開口部３７に挿入される作動軸４０と、前記可動体３１に固定される支軸４１と、該作動軸４０および支軸４１の夫々が連結固定される接続部４２とから構成されている。前記支軸４１は、前記枠状本体２２ａに前後方向に貫通するよう形成した軸受け部(図示せず)に回転自在に挿入され、その前端部が前記可動体３１の固定孔３１ａに回動不能に挿入固定される。これにより、前記可動体３１は、前記枠状本体２２ａの前側で前記支軸４１を中心として揺動可能に取付けられる。また、前記接続部４２は、所定長の短尺部材であって、両端部近傍に前後方向に貫通する通孔(図示せず)が形成されており、一方の通孔に前記支軸４１の後端部が回動不能に挿入固定されると共に、他方の通孔に前記作動軸４０の前端部が回動不能に挿入固定されている。すなわち、実施例１では、前記作動体３９は、図３に示すようにクランク状に形成されて、前記支軸４１を中心として作動軸４０が回動するようになっている。
【００１５】
ここで、前記ソレノイド３２は、図４、図７〜図９に示すように、前記プランジャ３３に接続した前記連結部３６の開口部３７が、前記作動軸４０の周回軌跡上に位置し、かつ前記支軸４１を通る鉛直線から離間する位置に臨むよう前記枠状本体２２に配置してある。すなわち、前記支軸４１を通る鉛直線ＶＬ上に前記連結部３６の開口部３７が位置するよう構成した場合には(図５参照)、該開口部３７に作動軸４０を挿入した状態で前記ソレノイド３２に通電・通電停止して連結部３６を上下移動させた場合に、該作動軸４０を周回軌跡とは異なる上下方向(支軸４１から離間する方向)に移動させる力が作用し、作動体３９(作動軸４０,支軸４１,接続部４２)の損傷等を来たす虞がある。従って、前記開口部３７が前記支軸４１を通る鉛直線から離間するよう構成する必要がある。なお、具体的には、前記連結部３６を上下移動させた際に、前記作動軸４０の周回軌跡上に前記開口部３７が常に位置するよう構成される(図４、図８または図９参照)。
【００１６】
また、前記連結部３６(プランジャ３３)の上下方向の移動距離は、前記作動軸４０が上下方向に変位可能な距離寸法より短く設定されている。すなわち、前記連結部３６(プランジャ３３)の上下方向の移動距離を、前記作動軸４０が上下方向に変位可能な距離寸法より短く設定すると、例えば連結部３６(プランジャ３３)が下方移動したときに、該プランジャ３３が伸びきる前に作動軸４０が回転できなくなるため、作動軸４０に負荷が掛って損傷する虞がある。従って、前記連結部３６(プランジャ３３)の上下方向の移動距離を、前記作動軸４０の上下方向に変位可能な距離寸法より短くすることで、連結部３６を上下移動した際に作動軸４０を所定範囲で確実に円弧運動させ得る。そして、前記作動軸４０の円弧運動に伴い、該作動軸４０を固定した前記接続部４２、および該接続部４２に固定した前記支軸４１を介して前記可動体３１が揺動するよう構成されている。また、実施例１では、前記連結部３６を初期位置に保持した場合には、図２に実線で示すように、前記可動体３１が前記図柄表示装置２３の前側に現われないようになっており、該連結部３６を終点位置まで移動させた場合には、図２に２点鎖線で示すように、該可動体３１が図柄表示装置２３の前側に現われるよう構成してある。
【００１７】
更に、前記連結部３６が可動範囲の略中間まで移動した際には、前記作動軸４０と支軸４１とが略同一高さに位置するよう設定されて、この時点での連結部３６の移動方向と作動軸４０の移動方向とが略一致するよう構成されている(図８参照)。ここで、前記連結部３６が可動範囲の略中間まで移動したときに、例えば前記作動軸４０が図６(a)に実線で示す位置に移動するよう設定した場合、該連結部３６が終点位置に移動した状態では、作動軸４０は、図６(a)に２点鎖線で示す位置に移動することになる。また、前記連結部３６が可動範囲の略中間まで移動したときに、前記作動軸４０が図６(b)に実線で示す位置に移動するよう設定した場合、該連結部３６が初期位置に移動した状態では、作動軸４０は、図６(b)に２点鎖線で示す位置に移動する。このように、図６(a),(b)における２点鎖線で示す位置に作動軸が移動した場合には、前記連結部３６の移動方向が上下方向となるのに対して、前記作動軸４０の移動方向は水平方向に近づくため、連結部３６を移動させた際に作動軸４０をスムーズに動作させ得なくなる。すなわち、前記連結部３６が可動範囲の略中間まで移動した際の連結部３６の移動方向と作動軸４０の移動方向とが略一致するようにすることで、該連結部３６の移動方向と作動軸４０の移動方向とを近似させ得るから、当該作動軸４０を円滑に円弧運動させ得るようになる。
【００１８】
そして、前記連結部３６における開口部３７の左右方向の開口寸法は、該開口部３７に挿入した前記作動軸４０の円弧運動に伴う左右方向の変位を許容する寸法に設定される。一方、前記開口部３７の上下方向の開口寸法は、前記作動軸４０の直径寸法より大きく設定されて、該作動軸４０と前記連結部３６における開口部３７の内部輪郭との間に、所要の隙間Ｓ(図７参照)が画成されるようになっている。換言すると、前記開口部３７に前記作動軸４０を挿入した状態において、該開口部３７の内部輪郭と作動軸４０との間に、作動軸４０の移動方向に隙間Ｓが存在するよう構成されている。なお、実施例１では、前述したように、前記可動体３１の端部を前記支軸４１で枢支しているから、図４、図７〜図９に示す状態では、該可動体３１には自重により常には時計回りに回動(以下正回転と云う)する力が作用する。従って、前記作動軸４０は、前記支軸４１および接続部４２を介して開口部３７の内部輪郭の上縁に当接して回動が規制されている(図７参照)。なお、実施例１では、前記開口部３７の上下方向の開口寸法を、前記作動軸４０の直径の略２倍に設定してある。
【００１９】
〔実施例１の作用〕
次に、前述した実施例１に係る遊技機の可動装置の作用につき説明する。前記遊技盤２０の遊技領域２１に打出されたパチンコ球が前記始動入賞具２４に入賞すると、前記図柄表示装置２３において所要の図柄変動ゲームが行なわれる。そして、所要の制御条件に基づいて前記ソレノイド３２に通電すると、前記プランジャ３３が上方に移動して、これに伴い前記連結部３６が前記初期位置から終点位置に向けて移動する。ここで、前述したように前記可動体３１には自重により正回転する方向に力が作用しているから、前記作動軸４０が前記連結部３６における開口部３７の内部輪郭の上縁に当接した状態で前記支軸４１を中心に正回転すると共に、これに伴い該作動軸４０に接続する接続部４２や支軸４１を介して可動体３１が正回転して、該可動体３１が図柄表示装置２３の前側に現われる(図２、図８または図９参照)。このように、実施例１に係るパチンコ機１０では、前記ソレノイド３２に通電して前記可動体３１を揺動させることで、視覚的な演出効果が向上され、遊技の興趣を増大させ得る。また、前記開口部３７の左右方向の開口幅寸法を、前記作動軸４０の円弧運動に伴う左右方向の変位を許容する寸法に設定したから、該作動軸４０の回動が阻害されることはなく(図４、図８および図９参照)、前記可動体３１をスムーズに揺動させることが可能である。
【００２０】
そして、図９に示すように、前記連結部３６が終点位置まで移動して前記ソレノイド３２が駆動停止すると、前記作動軸４０が正回転するのは規制される。このとき、前記可動体３１や作動軸４０に作用する慣性力により、該作動軸４０が連結部３６における開口部３７の内部輪郭に押圧されて、その反発により作動軸４０が逆回転する。また、逆回転した前記作動軸４０が連結部３６における開口部３７の内部輪郭の下縁に衝突すると、その反発力により作動軸４０が再び正回転するようになる。このように、前記連結部３６の開口部３７に前記作動軸４０を挿入した状態で、該開口部３７の内部輪郭と作動軸４０との間に、該作動軸４０の移動方向に隙間Ｓを画成したから、前記ソレノイド３２の駆動停止時(連結部３６の停止時)には、該隙間Ｓの存在により開口部３７内を作動軸４０が円弧運動を繰り返す(図９参照)。そして、前記作動軸４０が往復動した際には、該作動軸４０と連動する前記接続部４２および支軸４１を介して前記可動体３１も往復動され、該可動体３１に振動が生起される。
【００２１】
すなわち、実施例１に係るパチンコ機１０の可動装置３０では、前記ソレノイド３２を駆動停止(連結部３６が停止)することで隙間Ｓ内で前記作動軸４０が振動し、これにより可動体３１を振動させ得るから、前述した従来のパチンコ機に配設される可動装置のように可動体を単に往復運動させる場合に較べて、該可動体３１の動作に余韻を持たせ得るから、遊技の興趣が向上される。なお、前記可動体３１は、前記作動軸４０が開口部３７内を往復動し得る範囲で振動するので、該開口部３７の上下方向の開口寸法を調整することで、当該可動体３１の動作の大きさを容易に変更できる。
【００２２】
一方、前記ソレノイド３２への通電を停止すると、前記コイルバネ３４の弾性力により前記プランジャ３３が下方移動し、これに伴い前記連結部３６が終点位置から初期位置に向けて下方移動する。このとき、前記可動体３１には自重により正回転する力が作用しているから、前記作動軸４０が前記開口部３７の内部輪郭の上縁に当接した状態のまま前記支軸４１を中心に逆回転し、これに伴い前記可動体３１も逆回転する。ここで、前記連結部３６が初期位置まで移動して前記ソレノイド３２が駆動停止すると、前記可動体３１や作動軸４０に作用する慣性力により、作動軸４０が前記開口部３７の内部輪郭の上縁から離間して更に逆回転する。そして、逆回転した前記作動軸４０が開口部３７の内部輪郭の下縁に衝突すると、その反発により作動軸４０が正回転し、この正回転した作動軸４０が開口部３７の内部輪郭の上縁に衝突すると、その反発により作動軸４０が再び逆回転するようになる。すなわち、ソレノイド３２への通電を停止した場合も、該ソレノイド３２に通電した場合と同様に前記開口部３７内で前記作動軸４０を往復動させ、前記可動体３１に振動を生起させ得るから、遊技の面白みを向上し得る。
【００２３】
ここで、前記可動体３１を振動させるには、前述したように駆動源としてモータを用いて、該モータを正逆回転させることでも達成し得るが、この場合にはモータに掛る負荷が大きくなることから、モータの耐用期間が短くなったり、メンテナンス作業等を行なう頻度が増大して、作業者の負担やコストが増加する問題がある。これに対し、実施例１に係る可動装置３０では、前記ソレノイド３２に対する通電および通電停止を制御するだけで、前記可動体３１を意図的に振動させ得るから、これらの問題が生ずることはない。また、駆動源として通電および通電停止するだけでよいソレノイド３２を用いることで、正逆回転を制御する必要があるモータを用いた場合に較べて、その構成や制御の簡略化を図り得る利点もある。更に、実施例１では、ソレノイド３２の駆動力を可動体３１に伝達する伝達手段３５として、該ソレノイド３２のプランジャ３３に接続した連結部３６と、可動体３１に接続したクランク状の作動体３９(作動軸４０、支軸４１および接続部４２)とからなる簡単な構成としたから、これら各部材３６,３９(４０,４１,４２)に損傷等の不具合が生じ難く、各部材３６,３９(４０,４１,４２)に不具合が生じた場合であっても、その交換作業やメンテナンス作業を容易に行ない得る利点がある。
【実施例２】
【００２４】
次に、実施例２に係る遊技機の可動装置について説明する。なお、実施例２に係る遊技機の可動装置の構成は、前述した実施例１に係る可動装置３０の構成と基本的に同一のため、同一の部材には同一の符号を付して詳細な説明は省略する。
【００２５】
図１０〜図１２に示すように、実施例２に係る可動装置４５は、前記連結部３６に開設される前記開口部３７における作動軸４０と開口部３７の内部輪郭との隙間Ｓにバネ部材(弾性部材)４６が配設されている。このバネ部材４６は、その一方の端部を前記作動軸４０に固定すると共に、他方の端部を開口部３７の内部輪郭における下縁に固定している。すなわち、前記バネ部材４６は、前記開口部３７内で前記作動軸４０の周回軌道方向に伸縮し得るよう配置されており、該バネ部材４６の伸縮運動に伴い該作動軸４０が開口部３７内を往復動するようになっている。なお、前記バネ部材４６を開口部３７および作動軸４０に固定した状態では、該作動軸４０が前記開口部３７の上下方向の略中間に位置し(初期位置)、該バネ部材４６の伸縮運動によっては作動軸４０が連結部３６における開口部３７の内部輪郭に接触しないよう設定してある。
【００２６】
〔実施例２の作用〕
次に、前述した実施例２に係る可動装置の作用につき説明する。前記可動装置４５の可動体３１が前記初期位置に位置する場合は、該可動体３１にはその自重により図１０〜図１２における時計回りに回動(以下正回転と云う)しようとする力が作用して、前記バネ部材４６を引っ張っている(図１０参照)。この状態で、前記ソレノイド３２に通電すると、前記プランジャ３３が上方移動して前記連結部３６も上方に移動する。このとき、前記可動体３１には自重により正回転する力が作用しているから、前記作動軸４０が前記バネ部材４６を引っ張った状態のまま前記支軸４１を中心に正回転し、これに伴い該作動軸４０に接続する接続部４２や支軸４１を介して可動体３１が正回転する(図１１参照)。
【００２７】
そして、前記ソレノイド３２が駆動停止すると、前記作動軸４０が前記バネ部材４６に引っ張られて逆回転する。ここで、前記作動軸４０が逆回転すると、該バネ部材４６が圧縮されて次第に作動軸４０を押し戻す力が作用し、このバネ部材４６の反発力により作動軸４０が再び正回転する。すなわち、実施例２に係るパチンコ機１０では、ソレノイド３２に通電すると、前記バネ部材４６の伸縮運動に伴い前記開口部３７内を作動軸４０が往復動を繰り返す(図１２参照)。
【００２８】
一方、前記ソレノイド３２への通電を停止すると、前記コイルバネ３４の弾性力により前記プランジャ３３が下方移動し、これに伴い前記連結部３６が終点位置から初期位置に向けて移動する。このとき、前記バネ部材４６により作動軸４０が引っ張られて該作動軸４０が前記支軸４１を中心に逆回転する。そして、前記連結部３６が初期位置まで移動して前記ソレノイド３２が駆動停止すると、前記可動体３１や作動軸４０に慣性力が作用し、かつバネ部材４６に引っ張られることにより、該作動軸４０はそのまま逆回転する。そして、前記作動軸４０が逆回転すると、前記バネ部材４６が圧縮されて次第に作動軸４０を押し戻す力が作用し、このバネ部材４６の反発力により作動軸４０が再び正回転する。すなわち、前述と同様に、ソレノイド３２への通電を停止した場合にも、前記バネ部材４６の伸縮運動に伴い前記開口部３７内を作動軸４０が往復動を繰り返す。
【００２９】
このように、前記連結部３６の開口部３７に前記作動軸４０を挿入した状態で、該開口部３７の内部輪郭と作動軸４０との間に、該作動軸４０の移動方向に隙間Ｓを画成し、かつ該開口部３７にバネ部材４６を配設したことで、前記ソレノイド３２の駆動停止時には、該隙間Ｓおよびバネ部材４６の存在により開口部３７内を作動軸４０が往復動するようになる。ここで、前記作動軸４０が往復動した際には、該作動軸４０と連動する前記接続部４２および支軸４１を介して前記可動体３１も往復動され、該可動体３１に振動を生起し得る。すなわち、実施例２に係る可動装置４５をパチンコ機１０に配設することにより、実施例１に係る可動装置３０と同様の作用・効果が得られる。また、実施例２に係る可動装置３０では、前記開口部３７にバネ部材４６を配設し、バネ部材４６の伸縮運動により前記作動軸４０を往復動させるよう構成したから、実施例１のように、作動軸４０が開口部３７の内部輪郭に衝突したときの反発力で往復動させる構成と較べてエネルギーロスが低減して、可動体３１の振動を長時間に亘って持続させることができる。従って、実施例１に係る可動装置３０に較べて、実施例２に係る可動装置４５をパチンコ機１０に配設することで、可動体３１により一層余韻のある動作を行なわせることができ、遊技の興趣を増大させ得る利点がある。
【００３０】
〔変更例〕
なお、本発明に係る遊技機の可動装置としては、前述した実施例１および２のものに限られるものではなく、種々の変更が可能である。実施例１および２では、リニアアクチュエータに接続させた連結部の開口部に、単に棒状の作動軸(作動体)を挿入するよう構成したが、該作動軸の端部に、該開口部からの脱落を防止する抜け止め部を形成するようにしてもよい。例えば、図１３に示すように、前記開口部３７に挿入された前記作動軸４０における後方に突出する端部に、該開口部３７の左右方向の開口幅寸法より長尺に設定した抜け止め部４８を形成し、該作動軸４０が開口部３７から抜け落ちる方向に移動した場合に、前記抜け止め部４８が連結部３６の基部３８に当接するよう構成すれば、当該作動体３９が開口部３７から抜け落ちるのを規制でき、前記ソレノイド３２の駆動力を確実に可動体３１に伝達し得る。なお、図１３において、前述した実施例１と同一の部材には同一の符号を付してある。また前記抜け止め部の形状は、円板状等であってもよく、前記開口部から抜け出ない形状および大きさであれば任意に形成することが可能である。
【００３１】
更に、実施例１および２では、リニアアクチュエータを何れの方向に駆動した場合にも可動体を振動するよう構成したが、該リニアアクチュエータを一方の方向に駆動した場合にのみ可動体が振動するように構成してもよい。具体的には、実施例１を例にすると、前記連結部３６が初期位置の状態では、前記開口部３７内を作動軸４０が移動するのを規制する規制部(図示せず)を形成することで、ソレノイド３２への通電を停止してプランジャ３３(連結部３６)を下方移動させた際に、可動体３１が振動しないよう構成すれば、該可動体３１の動作にメリハリをつけることが可能となる。
【００３２】
また、リニアアクチュエータを駆動した際に動作する可動体(この段落においては第１の可動体と云う)に対して、別途第２の可動体を取付けるようにすることもできる。具体的には、例えば図１４に示すように、前記第１の可動体３１に対してバネ部材４６等の弾性部材を介して所要形状の第２の可動体５０を取付け、連結部３６の停止時に隙間Ｓ内で前記作動軸４０が振動することによって第１の可動体３１を動作させることにより、バネ部材４６が伸縮運動して第２の可動体５０を動作させるようにしてもよい。このように、第１の可動体３１に対して更に別の第２の可動体５０を取付けることで、可動装置３０に複雑で多彩な動作を行なわせ得るようになるから、遊技の興趣の増大を図り得る利点がある。殊に、実施例１および２に係る可動装置のように、前記第１の可動体３１を振動させた際には、その振動に伴い伸縮運動するバネ部材４６を介して前記第２の可動体５０も振動させ得るから、より一層遊技者に与え得るインパクトを高め遊技の面白みを増大し得る。なお、図１４において、実施例１および２と同一の機能を有する部材には同一の符号を付してある。また、前記第２の可動体の形状や数としては任意に決定することができ、第２の可動体に対して弾性部材を介して更に第３、第４の可動体というように、任意の数の可動体を取付けることも可能である。
【００３３】
更に、実施例１および２では、伝達手段におけるリニアアクチュエータに接続した連結部と作動体とが隙間を持って連結されるよう構成したが、これに加えて、該作動体と可動体との接続部位にも隙間を画成するよう構成してもよい。このように、可動体と作動体(伝達手段)との接続部位に隙間を形成することで、より複雑な振動を可動体に生起させることが可能となるから、遊技の興趣を一層向上し得る利点がある。なお、可動体と作動体との接続部位に隙間を形成した場合には、該隙間にバネ部材等の弾性部材を配設することも可能である。
【００３４】
更にまた、可動装置の本体部として、図柄表示装置が臨む装飾部材を利用したが、これに限られるものではなく、遊技機の任意の部材(例えば、遊技盤や裏樋部材等)を可動装置の本体部として兼用させることができ、更にリニアアクチュエータや可動体を配設する専用のケース体を設けることも可能である。そして、本体部へのリニアアクチュエータの配置姿勢としては、上下方向に動作する姿勢に限られるものではなく、水平方向や前後方向、その他斜め方向に動作する姿勢で配置してもよい。また、実施例１および２では、可動体を揺動するよう構成したが、任意の方向に直線的に移動するよう構成することもできる。なお、実施例２のように、前記連結部の開口部に弾性部材を配設する場合には、該弾性部材の一方の端部を作動体に固定すると共に、他方の端部を連結部または本体部の何れかに固定すれば、前述した実施例２と同様の作用効果が得られる。また、実施例１および２では、遊技機としてパチンコ機を採用したが、アレンジボール機やスロットマシン機等であってもよく、本体部に配設したリニアアクチュエータと、該本体部に配設した可動体と、該リニアアクチュエータの駆動力を可動体に伝達して動作させる伝達手段とから構成された可動装置を備えたものであれば、何れの遊技機も採用し得る。
【００３５】
〔付記〕
なお、本発明に係る遊技機の可動装置の具体的構成としては、以下のような限定が可能である。
(1) 請求項１または２記載の遊技機の可動装置に関しては、前記作動体(39)に、前記開口部(37)から作動体(39)が脱落するのを防止する抜け止め部(48)を形成する。
このように、前記作動体に抜け止め部を設けることで、該作動体が連結部の開口部から抜け落ちるのを確実に防止し得る。
(2) 請求項１、２および付記１の何れかに記載の遊技機の可動装置に関しては、前記可動体(31)を回動自在に枢支して、前記リニアアクチュエータ(32)の駆動停止時に、前記連結部(36)および作動体(39)を介して可動体(31)を振動させるよう構成する。
このように、リニアアクチュエータを用いた場合でも、該リニアアクチュエータの駆動停止時に可動体を振動させ得るから、多様な遊技演出を行ない得る。
【図面の簡単な説明】
【００３６】
【図１】実施例１に係るパチンコ機を示す正面図である。
【図２】実施例１に係る枠状本体の可動体を配置した部位を示す拡大図である。
【図３】実施例１に係るソレノイド、伝達手段および可動体を分解して示す斜視図である。
【図４】実施例１に係る可動装置の連結部が初期位置にある状態を示す背面図である。
【図５】連結部の開口部が支軸を通る鉛直線上に位置する状態を示す概略説明図である。
【図６】作動軸の動作方向を示す概略説明図である。
【図７】実施例１に係る可動装置の連結部の開口部に作動軸を挿入した状態を示す拡大図である。
【図８】実施例１に係る可動装置の連結部が、可動領域の略中間まで変位した状態を示す背面図である。
【図９】実施例１に係る可動装置の連結部が終点位置まで変位して、該可動体に振動が生起された状態を示す背面図である。
【図１０】実施例２に係る可動装置の連結部が初期位置にある状態を示す背面図である。
【図１１】実施例２に係る可動装置の連結部が、可動領域の略中間まで変位した状態を示す背面図である。
【図１２】実施例２に係る可動装置の連結部が終点位置まで変位して、該可動体に振動が生起された状態を示す背面図である。
【図１３】作動軸の端部に抜け止め部を形成した可動装置を背面側から見た状態で示す斜視図である。
【図１４】変更例に係る第１の可動体にバネ部材を介して第２の可動体を取付けた可動装置を示す背面図である。
【符号の説明】
【００３７】
２２  装飾部材(本体部)
３０  可動装置
３１  可動体
３２  ソレノイド(リニアアクチュエータ)
３５  伝達手段
３７  開口部
３９  作動体
４５  可動装置
４６  バネ部材(弾性部材)
Ｓ  隙間
【図１】
2005323938.tif 000003
【図２】
2005323938.tif 000004
【図３】
2005323938.tif 000005
【図４】
2005323938.tif 000006
【図５】
2005323938.tif 000007
【図６】
2005323938.tif 000008
【図７】
2005323938.tif 000009
【図８】
2005323938.tif 000010
【図９】
2005323938.tif 000011
【図１０】
2005323938.tif 000012
【図１１】
2005323938.tif 000013
【図１２】
2005323938.tif 000014
【図１３】
2005323938.tif 000015
【図１４】
2005323938.tif 000016